(57)【要約】【課題】  簡素な構成および処理にて円滑かつ適正にオフセット調整を行い得る光ディスク装置およびオフセット調整方法を提供する。【解決手段】  ウォブル信号は、ＡＤＩＰ再生回路１１０とオフセット検出回路１１１にそれぞれ入力される。このうち、オフセット検出回路１１１は、モノトーン区間におけるウォブル信号からＶ値データを取得し、これをコントローラ１１２に出力する。ここで、Ｖ値データは、隣接トラックからのクロストーク量に応じた値を持っている。コントローラ１１２は、オフセット検出回路１１１から入力されたＶ値データをもとに、トラッキングサーボ回路１０９ａに適用すべきオフセット値を設定し、これをトラッキングサーボ回路１０９ａに出力する。トラッキングサーボ回路１０９ａは、入力されたオフセット値をサーボ信号、たとえば、トラッキングエラー信号に加算する。【選択図】    図４
2006024295.tif 000002
【特許請求の範囲】
【請求項１】
トラックを径方向に単調にウォブルさせたモノトーン領域とトラックを位相変調波形に応じて径方向にウォブルさせた位相変調領域を有する光ディスクに対し情報を記録および／若しくは再生する光ディスク装置において、
前記光ディスクからの光を受光してウォブル信号を生成する信号生成手段と、
該信号生成手段にて生成されたウォブル信号に基づいて隣接トラックからのクロストーク量を検出するクロストーク検出手段と、
該クロストーク検出手段にて検出されたクロストーク量に基づいてフォーカスサーボおよび／若しくはトラッキングサーボのオフセットを調整するオフセット調整手段を備え、
前記クロストーク検出手段は、前記モノトーン領域を走査しているときに前記信号生成手段にて生成されるウォブル信号を監視し、該ウォブル信号上に重畳された隣接トラックの位相変調領域からの信号成分に基づいて、前記隣接トラックからのクロストーク量を検出する、
ことを特徴とする光ディスク装置。
【請求項２】
請求項１において、
前記クロストーク検出手段は、前記モノトーン領域を走査しているときに前記信号生成手段にて生成されるウォブル信号から、隣接トラックの前記位相変調領域における前記ウォブルの位相反転に応じて変化する信号を生成し、該信号に基づいて、前記隣接トラックからのクロストーク量を検出する、
ことを特徴とする光ディスク装置。
【請求項３】
請求項２において、
前記クロストーク検出手段は、前記ウォブル信号を積分して前記隣接トラックの前記位相変調領域における前記ウォブルの位相反転タイミングにてピークとなる信号を生成し、該信号のピーク値に基づいて、前記隣接トラックからのクロストーク量を検出する、
ことを特徴とする光ディスク装置。
【請求項４】
請求項３において、
前記クロストーク検出手段は、前記ウォブル信号を積分するローパスフィルタと、該ローパスフィルタからの出力から前記ウォブル信号の周波数成分を除去するノッチフィルタと、該ノッチフィルタからの出力のピーク値を検出するピーク検出回路とを有する、
ことを特徴とする光ディスク装置。
【請求項５】
請求項２において、
前記クロストーク検出手段は、前記ウォブル信号を同期検波して前記隣接トラックの前記位相変調領域における前記ウォブルの位相反転タイミングにて立下りまたは立ち上がる信号を生成し、該信号の信号レベルに基づいて、前記隣接トラックからのクロストーク量を検出する、
ことを特徴とする光ディスク装置。
【請求項６】
請求項５において、
前記クロストーク検出手段は、前記立下りまたは立ち上がり時における信号レベルの変化量に基づいて、前記隣接トラックからのクロストーク量を検出する、
ことを特徴とする光ディスク装置。
【請求項７】
請求項１乃至６の何れかにおいて、
前記オフセット調整手段は、前記クロストーク量が最小になるよう前記フォーカスサーボおよび／若しくはトラッキングサーボのオフセットを調整する、
ことを特徴とする光ディスク装置。
【請求項８】
トラックを径方向に単調にウォブルさせたモノトーン領域とトラックを位相変調波形に応じて径方向にウォブルさせた位相変調領域を有する光ディスクに対し情報を記録および／若しくは再生する光ディスク装置におけるオフセット調整方法であって、
前記モノトーン領域を走査しているときに取得されるウォブル信号を監視し、該ウォブル信号上に重畳された隣接トラックの位相変調領域からの信号成分に基づいてクロストーク量を検出し、検出したクロストーク量に基づいてフォーカスサーボおよび／若しくはトラッキングサーボのオフセットを調整する、
ことを特徴とするオフセット調整方法。
【発明の詳細な説明】
【技術分野】
【０００１】
本発明は、光ディスク装置およびオフセット調整方法に関し、特に、トラックを径方向に単調にウォブルさせたモノトーン領域とトラックを位相変調波形に応じて径方向にウォブルさせた位相変調領域を有する光ディスクに対し情報を記録および／若しくは再生する際に用いて好適なものである。
【背景技術】
【０００２】
現在、ＣＤ（Compact Disc）やＤＶＤ（Digital Versatile Disc）等、様々な光ディスクが商品化され普及している。さらに、最近では、青紫レーザ光を用いて情報を記録再生する次世代ＤＶＤの規格化が進められている。この次世代ＤＶＤは、波長４０５ｎｍ程度の青紫レーザ光を用いて情報を記録再生するものである。レーザ光の短波長化によって、さらなる高密度化を図ることができる。
【０００３】
これら光ディスクのうち、ＤＶＤ−Ｒ（DVD - Recordable）等の記録可能ディスクにおいては、ビーム案内用のトラック（グルーブ）があらかじめディスク上に形成されている。また、かかるトラックを径方向に蛇行（ウォブル）させることで、回転制御のためのクロックの抽出と、制御情報（アドレス情報、等）の取得が可能とされている。すなわち、トラックを径方向に単調にウォブルさせたモノトーン領域とトラックを位相変調波形に応じて径方向にウォブルさせた位相変調領域が所定周期毎に割り当てられ、このうち、位相変調領域に、アドレス情報等の制御情報が記録されている。
【０００４】
かかるディスクに対し情報を記録再生する光ディスク装置においては、一般に、トラッキング制御の手法としてプッシュプル法が用いられている。この方法は、ウォブルトラックからのプッシュプル信号がレーザスポットのデトラックに応じて変化することを利用するものである。
【０００５】
しかし、かかるプッシュプル法では、アクチュエータによって対物レンズがトラッキング方向に振られることにより、光検出器と対物レンズの光軸に位置ずれが生じ、その結果、トラッキングサーボにオフセットが生じる。同様に、光ディスクと対物レンズの間にチルトが生じた場合にもオフセットが生じ、さらに、チルト時には、フォーカスサーボにもオフセットが生じる。
【０００６】
そこで、以下の特許文献１では、対象トラックの両燐に位置する隣接トラックを追従するサブビームを別途準備し、このサブビームを受光して生成した２つのプッシュプル信号と、アドレス復調信号の理想値に対する誤差信号との相関から、２つの係数を生成し、これら２つの係数が最小となるようトラッキングサーボをフィードバック制御している。これにより、アドレス復調信号に対する両燐トラックからのクロストークが打ち消され、その結果、トラッキングサーボのオフセットが抑制されるとされている。
【特許文献１】特開２００３−５９０７１号公報
【発明の開示】
【発明が解決しようとする課題】
【０００７】
しかしながら、かかる従来技術によれば、両燐トラックを追従するサブビームを別途準備しなければならず、構成が複雑化するとの問題が生じる。また、サブビームを受光して生成した２つのプッシュプル信号と、アドレス復調信号の理想値に対する誤差信号との相関を求めるといった煩雑な処理が必要となるとの問題も生じる。
【０００８】
そこで、本発明は、簡素な構成および処理にて円滑かつ適正にオフセット調整を行い得る光ディスク装置およびオフセット調整方法を提供することを課題とする。
【課題を解決するための手段】
【０００９】
本発明は、隣接トラックからのクロストーク信号に位相変調領域の位相反転成分が含まれていることに着目し、この位相反転成分を抽出することで、隣接トラックからのクロストーク量を検出するものである。特に、青紫レーザ光を用いて情報を記録再生する次世代ＤＶＤにおいては、位相変調領域が隣接トラックにおいて径方向に重ならないよう設定されるため、モノトーン領域を走査中に、隣接トラックの位相変調領域からの位相反転成分を円滑に抽出することができる。よって、本発明を、かかるディスクに対する光ディスク装置に適用すると、クロストーク量を良好に検出でき、オフセット調整を円滑かつ適正に行うことができるようになる。
【００１０】
本発明の特徴は、それぞれ以下に示すとおりである。
【００１１】
第１の発明は、トラックを径方向に単調にウォブルさせたモノトーン領域とトラックを位相変調波形に応じて径方向にウォブルさせた位相変調領域を有する光ディスクに対し情報を記録および／若しくは再生する光ディスク装置において、前記光ディスクからの光を受光してウォブル信号を生成する信号生成手段と、該信号生成手段にて生成されたウォブル信号に基づいて隣接トラックからのクロストーク量を検出するクロストーク検出手段と、該クロストーク検出手段にて検出されたクロストーク量に基づいてフォーカスサーボおよび／若しくはトラッキングサーボのオフセットを調整するオフセット調整手段を備え、前記クロストーク検出手段は、前記モノトーン領域を走査しているときに前記信号生成手段にて生成されるウォブル信号を監視し、該ウォブル信号上に重畳された隣接トラックの位相変調領域からの信号成分に基づいて、前記隣接トラックからのクロストーク量を検出することを特徴とする。
【００１２】
第２の発明は、前記第１の発明に係る光ディスク装置において、前記クロストーク検出手段は、前記モノトーン領域を走査しているときに前記信号生成手段にて生成されるウォブル信号から、隣接トラックの前記位相変調領域における前記ウォブルの位相反転に応じて変化する信号を生成し、該信号に基づいて、前記隣接トラックからのクロストーク量を検出することを特徴とする。
【００１３】
第３の発明は、前記第１の発明に係る光ディスク装置において、前記クロストーク検出手段は、前記ウォブル信号を積分して前記隣接トラックの前記位相変調領域における前記ウォブルの位相反転タイミングにてピークとなる信号を生成し、該信号のピーク値に基づいて、前記隣接トラックからのクロストーク量を検出することを特徴とする。
【００１４】
第４の発明は、前記第３の発明に係る光ディスク装置において、前記クロストーク検出手段は、前記ウォブル信号を積分するローパスフィルタと、該ローパスフィルタからの出力から前記ウォブル信号の周波数成分を除去するノッチフィルタと、該ノッチフィルタからの出力のピーク値を検出するピーク検出回路とを有することを特徴とする。
【００１５】
第５の発明は、前記第２の発明に係る光ディスク装置において、前記クロストーク検出手段は、前記ウォブル信号を同期検波して前記隣接トラックの前記位相変調領域における前記ウォブルの位相反転タイミングにて立下りまたは立ち上がる信号を生成し、該信号の信号レベルに基づいて、前記隣接トラックからのクロストーク量を検出することを特徴とする。
【００１６】
第６の発明は、前記第５の発明に係る光ディスク装置において、前記クロストーク検出手段は、前記立下りまたは立ち上がり時における信号レベルの変化量に基づいて、前記隣接トラックからのクロストーク量を検出することを特徴とする。
【００１７】
第７の発明は、前記第１乃至第６のうち何れか一の発明に係る光ディスク装置において、前記オフセット調整手段は、前記クロストーク量が最小になるよう前記フォーカスサーボおよび／若しくはトラッキングサーボのオフセットを調整することを特徴とする。
【００１８】
第８の発明は、トラックを径方向に単調にウォブルさせたモノトーン領域とトラックを位相変調波形に応じて径方向にウォブルさせた位相変調領域を有する光ディスクに対し情報を記録および／若しくは再生する光ディスク装置におけるオフセット調整方法であって、前記モノトーン領域を走査しているときに取得されるウォブル信号を監視し、該ウォブル信号上に重畳された隣接トラックの位相変調領域からの信号成分に基づいてクロストーク量を検出し、検出したクロストーク量に基づいてフォーカスサーボおよび／若しくはトラッキングサーボのオフセットを調整することを特徴とする。
【発明の効果】
【００１９】
本発明によれば、モノトーン領域を走査しているときに取得されるウォブル信号を監視し、該ウォブル信号上に重畳された隣接トラックの位相変調領域からの信号成分に基づいてクロストーク量を検出し、検出したクロストーク量に基づいてフォーカスサーボおよび／若しくはトラッキングサーボのオフセットを調整するものであるから、両燐トラックを追従するサブビームを別途準備する必要はなく、また、サブビームを受光して生成した２つのプッシュプル信号とアドレス復調信号の理想値に対する誤差信号との相関を求めるといった煩雑な処理も必要とならず、簡素な構成および処理にて円滑かつ適正にオフセット調整を行うことができる。
【００２０】
ここで、クロストーク量の検出は、第２の発明の如く、前記モノトーン領域を走査しているときに前記信号生成手段にて生成されるウォブル信号から、隣接トラックの前記位相変調領域における前記ウォブルの位相反転に応じて変化する信号を生成し、該信号に基づいて、前記隣接トラックからのクロストーク量を検出するようにして行うことができる。
【００２１】
また、位相反転に応じて変化する信号の生成は、第３乃至第６の発明の如く、積分処理やフィルタ処理、あるいは同期検波処理を適用して行うことができる。こうすると、簡素な構成および処理にて円滑に、クロストーク量を検出することができる。
【００２２】
なお、オフセットの調整は、前記クロストーク量が最小になるよう前記フォーカスサーボおよび／若しくはトラッキングサーボのオフセットを調整することにより行うことができる。こうすると、両隣の隣接トラックのうち何れのトラックからのクロストークが大きいかが分からなくとも、クロストーク量のみによって、オフセットを円滑に調整することができる。
【００２３】
本発明の特徴は、以下に示す実施の形態の説明により更に明らかとなろう。ただし、以下の実施形態は、本発明の一実施形態であって、本発明ないし各構成要件の用語の意義は、以下の実施形態に記載されたものに制限されるものではない。
【発明を実施するための最良の形態】
【００２４】
以下、本発明の実施の形態につき図面を参照して説明する。
【００２５】
以下、本発明の実施の形態につき図面を参照して説明する。なお、本実施の形態は、青紫レーザ光を用いた高密度ＤＶＤ−Ｒ（ＨＤＤＶＤ−Ｒ：recordable）の記録再生装置に本発明を適用したものである。
【実施例１】
【００２６】
まず、図１に実施の形態に係るディスク（ＨＤＤＶＤ−Ｒ）の構成を示す。図示の如く、ディスク１００は、その径方向に、インナードライブエリア、リードインエリア、データエリア、リードアウトエリア、アウタードライブエリアに領域分割されている。さらに、インナードライブエリアとアウタードライブエリアは種々のゾーンに区分されている。
【００２７】
また、ディスク１００には、内周から外周に向かって螺旋状のグルーブが形成されており、このグルーブに対してデータの記録が行われる。ここで、グルーブは、径方向に蛇行（ウォブル）しており、このウォブルによってアドレス情報が保持されている。すなわち、ＡＤＩＰ（Address in pre-groove）と呼ばれる位相変調区間が、単調蛇行区間（モノトーン区間）中に一定周期で挿入されており、かかる位相変調区間をビームが走査するとき、その反射光強度の変化からグルーブ上のアドレス情報が読み取られ再生される。なお、リードイン領域のＡＤＩＰには、当該ディスクに対する種々の制御データが位相変調によって記録されている。たとえば、その中に、当該ディスクを製造したディスク製造業者の識別情報（マニュファクチャＩＤ）等が含まれている。
【００２８】
図２に、位相変調区間とモノトーン区間の配置を模式的に示す。図示の如く、位相変調区間は、隣り合うグルーブ（Ｇ）において径方向に重ならないよう配置されている。同図下段に示す如く、ＡＤＩＰデータ（アドレスデータ等）は、位相変調区間のウォブル波形を位相反転させることによって記録されている。同図では、４周期分のウォブル波形で１ビットのデータが記録され、データ“０”に続く４周期分のウォブル波形を位相反転させることで、データ“１”が表されている。なお、図中（Ｌ）はグルーブ間のランド領域を示している。
【００２９】
図３に、実施の形態に係る光ディスク装置の構成を示す。
【００３０】
図示の如く、光ディスク装置は、エンコーダ１０１と、変調回路１０２と、レーザ駆動回路１０３と、レーザパワー調整回路１０４と、光ピックアップ１０５と、信号生成回路１０６と、復調回路１０７と、デコーダ１０８と、サーボ回路１０９と、ＡＤＩＰ再生回路１１０と、オフセット検出回路１１１とコントローラ１１２から構成されている。
【００３１】
エンコーダ１０１は、入力された記録データに対し誤り訂正符号の付加等のエンコード処理を施し、変調回路１０２へと出力する。変調回路１０２は、入力された記録データに所定の変調を施し、さらに記録信号を生成してレーザ駆動回路１０３に出力する。レーザ駆動回路１０３は、記録時には変調回路１０２からの記録信号に応じた駆動信号を半導体レーザ１０５ａに出力し、再生時には一定強度のレーザ光を出射するための駆動信号を半導体レーザ１０５ａに出力する。ここで、レーザパワーは、レーザパワー調整回路１０４によって調整・設定されたレーザパワーに設定される。
【００３２】
レーザパワー調整回路１０４は、コントローラ１１２からの設定値に応じて、記録および再生時のレーザパワーを初期設定するとともに、設定したレーザパワーを、コントローラ１１２から供給される調整値に応じて適宜調整し、これをレーザ駆動回路１０３に供給する。ここで、レーザパワーの設定（ＯＰＣ）は、たとえばβ法に従って行われる。すなわち、コントローラ１１２から当該ディスクのβ値（βtarget）を取得し、取得したβtargetをもとに、当該ディスクに対する記録レーザパワーを最適パワーに設定する。
【００３３】
光ピックアップ１０５は、半導体レーザ１０５ａおよび光検出器１０５ｂを備え、レーザ光をグルーブ上に収束させることにより、ディスクに対するデータの書き込み／読み出しを行う。なお、光ピックアップ１０５は、この他、グルーブに対するレーザ光の照射状態を調整するための対物レンズアクチュエータと、半導体レーザ１０５ａから出射されたレーザ光を対物レンズに導き、且つ、ディスク１００からの反射光を光検出器１０５ｂに導くための光学系等を備えている。
【００３４】
信号生成回路１０６は、光検出器１０５ｂから受信した信号を増幅および演算処理して各種信号を生成し、これを対応する回路に出力する。復調回路１０７は、信号生成回路１０６から入力された再生ＲＦ信号を復調して再生データを生成し、デコーダ１０８に出力する。デコーダ１０８は、復調回路１０７から入力されたデータに対し誤り訂正等のデコード処理を施し、後段回路に出力する。
【００３５】
サーボ回路１０９は、信号生成回路１０６から入力されたフォーカスエラー信号およびトラッキングエラー信号からフォーカスサーボ信号およびトラッキングサーボ信号を生成し、光ピックアップ１０５の対物レンズアクチュエータに出力する。また、信号生成回路１０６から入力されたウォブル信号からモータサーボ信号を生成し、ディスク駆動モータに出力する。
【００３６】
ＡＤＩＰ再生回路１１０は、信号生成回路１０６から入力されたウォブル信号からＡＤＩＰデータを再生し、これらをコントローラ１１２に出力する。コントローラ１１２は、内蔵メモリに各種データを格納するとともに、あらかじめ設定されたプログラムに従って、各部を制御する。
【００３７】
図４に、信号生成回路１０６の要部構成とその周辺回路の関係を示す。なお、同図には、信号生成回路１０６のうち、トラッキングエラー信号およびウォブル信号の生成に関する構成のみが示されている。
【００３８】
ディスク上の記録／再生対象グルーブから反射されたレーザ光は、光検出器１０５上の一対の光センサー上に収束される。各センサーから出力された信号は、減算回路１０６にて減算されてプッシュプル信号とされる。かかるプッシュプル信号のうち低域周波数成分がＬＰＦ（Low Pass Filter）１０６ｃにて取り出されトラッキングエラー信号とされる。また、高域周波数成分がＢＰＦ（Band Pass Filter）１０６ｂにて取り出されウォブル信号とされる。
【００３９】
このうちトラッキングエラー信号は、トラッキングサーボ回路１０９ａに入力される。トラッキングサーボ回路１０９ａは、入力されたトラッキングエラー信号からトラッキングサーボ信号を生成し、これを対物レンズアクチュエータの駆動コイルに印加する。これにより、対物レンズがトラッキング方向に駆動され、グルーブに対するレーザスポットのデトラックが補正される。
【００４０】
ウォブル信号は、ＡＤＩＰ再生回路１１０とオフセット検出回路１１１にそれぞれ入力される。このうち、ＡＤＩＰ再生回路１１０は、位相変調区間におけるウォブル信号を再生してＡＤＩＰデータを生成し、これをコントローラ１１２に出力する。また、オフセット検出回路１１１は、モノトーン区間におけるウォブル信号から後述するＶ値データを取得し、これをコントローラ１１２に出力する。ここで、Ｖ値データは、隣接トラックからのクロストーク量に応じた値を持っている。なお、オフセット検出回路１１１の構成ないしＶ値データの生成処理については、追って詳述する。
【００４１】
コントローラ１１２は、オフセット検出回路１１１から入力されたＶ値データをもとに、トラッキングサーボ回路１０９ａに適用すべきオフセット値を設定し、これをトラッキングサーボ回路１０９ａに出力する。トラッキングサーボ回路１０９ａは、入力されたオフセット値をサーボ信号、たとえば、トラッキングエラー信号に加算する。これにより、トラッキングサーボに対するオフセット調整がなされる。なお、かかるオフセット調整処理の詳細については追って説明する。
【００４２】
図５に、オフセット検出回路１１１の構成例を示す。
【００４３】
本構成例では、オフセット検出回路１１１は、ＬＰＦ（Low Pass Filter）１１１ａ、ノッチ回路１１１ｂ、ボトムホールド回路１１１ｃ、Ａ／Ｄ変換回路１１１ｄから構成されている。
【００４４】
ウォブル信号はＬＰＦ１１１ａにて積分された後、ノッチ回路１１１ｂにてウォブル信号の周波数成分が除去される。そして、ノッチ回路１１１ｂから出力される信号のボトム値がボトムホールド回路１１１ｃにてホールドされ、さらに、このボトム値がＡ／Ｄ変換回路１１１ｄにてデジタルデータに変換され、これがＶ値データとしてコントローラ１１２に出力される。
【００４５】
図６を参照して、Ｖ値データの取得方法について説明する。なお、同図には、便宜上、隣接トラックの位相変調区間からのクロストーク信号をもとに、Ｖ値データを取得するまでの信号の状態を示してある。
【００４６】
同図上段のクロストーク信号がＬＰＦ１１１ａに入力されると、ＬＰＦ１１１ａからの出力は、位相反転区間における積分値を反映して、同図中段に示すように、位相反転区間の到来タイミングに同期するようにして、高低方向に振れるようになる。このＬＰＦ出力を、クロストーク信号の周波数成分を除去するノッチ回路１１１ｂに入力すると、ノッチ回路１１１ｂからは、同図下段に示すように、位相反転区間の到来タイミングに同期してボトムピークまたはトップピークを有する信号が出力される。この信号を、ボトムホールド回路１１１ｃに入力すると、ボトムピークの振幅値（Ｖ値）がホールドされる。ここで、この振幅値（Ｖ値）は、位相反転区間におけるクロストーク信号の振幅値に応じたものとなる。つまり、この振幅値（Ｖ値）は、クロストーク量に応じた大きさを持つものとなる。
【００４７】
ところで、上記図５の構成例では、ＬＰＦ１１１ａに対し、クロストーク信号ではなくウォブル信号が入力されている。しかし、このウォブル信号は、ウォブル波形に応じた単調な波形信号にクロストーク信号が重畳されたものであるから、このウォブル信号をＬＰＦ１１１ａに入力した場合には、ウォブル波形に応じた単調な波形信号がノッチ回路１１１ｂにて除去され、その結果、図６の下段に示すような出力信号がノッチ回路１１１ｂから得られることとなる。したがって、ウォブル信号を入力した場合にも、ボトムホールド回路１１１ｃには、クロストーク信号を入力した場合と同じ振幅値（Ｖ値）がホールドされることとなり、この振幅値（Ｖ値）は上記場合と同様、クロストーク量に応じた大きさを持つものとなる。
【００４８】
図５に示すオフセット検出回路１１１は、ボトムホールド回路１１１ｃにホールドされた振幅値（Ｖ値）をＡ／Ｄ変換回路１１１ｄにてデジタルデータに変換する。そして、これをＶ値データとしてコントローラ１１２に出力する。
【００４９】
なお、オフセット検出回路１１１は、たとえば、一単位のモノトーン区間を走査している間に検出される一連の振幅値（Ｖ値）の中から最も振幅値（振り幅）が大きいものをホールドし、その絶対値データを、当該モノトーン区間におけるＶ値データとしてコントローラ１１２に出力する。この他、２単位以上のモノトーン区間を対象に振幅値（Ｖ値）をホールドし、その絶対値データを当該区間のＶ値データとしてコントローラ１１２に出力するようにしても良い。
【００５０】
図７に、コントローラ１１２にて行われるオフセット調整の処理フローを示す。
【００５１】
記録／再生動作が開始されると、まず、トラッキングサーボ回路１０９ａに対するバイアス値（Ｔｂｉａｓ）が０にセットされた後（Ｓ１０１）、上記の如くして、モノトーン区間におけるウォブル信号をもとに、オフセット検出回路１１１にてＶ値データが取得される。取得されたＶ値データは、当該区間のＶ値データＶａとして設定される（Ｓ１０２）。このとき同時に、コントローラ１１２は、バイアス値Ｔｂｉａｓに調整値ΔＴｂを加算し、これを新たなバイアス値Ｔｂｉａｓに設定する（Ｓ１０３）。このバイアス値は、コントローラ１１２からトラッキングサーボ回路１０９ａに出力される。これにより、トラッキングサーボ回路１０９ａのオフセット量が変更される。
【００５２】
しかして、オフセット量が変更されると、次のモノトーン区間におけるウォブル信号をもとに、オフセット検出回路１１１にてＶ値データが取得される。取得されたＶ値データは、当該区間のＶ値データＶｂとして設定される（Ｓ１０４）。そして、設定されたＶ値データＶｂと、Ｓ１０２にて設定されたＶ値データＶａが比較され（Ｓ１０５）、Ｖａ＞Ｖｂであれば（Ｓ１０５：Ｙ）、Ｖ値データＶｂをＶ値データＶａとして設定し（Ｓ１０６）、Ｓ１０３に戻る。
【００５３】
Ｓ１０３以降の処理は、Ｖａ＞Ｖｂでなくなるまで繰り返される。すなわち、Ｖａ＞Ｖｂでなくなるまで、トラッキングサーボ回路１０９ａのバイアス値が調整値ΔＴｂずつ加算され、オフセット量が変更される。これにより、クロストーク量が次第に減少して行く。そして、クロストーク量が最小となったのち、再び増加方向に転じると、Ｓ１０５にて、Ｖａ＞Ｖｂでなくなったと判定される。
【００５４】
このようにして、Ｖａ＞Ｖｂでなくなったと判定されると（Ｓ１０５：Ｎ）、そのときのＶ値データＶｂがＶ値データＶａとして設定され（Ｓ１１０）、Ｓ１０７以降の処理が行われる。
【００５５】
すなわち、コントローラ１１２は、バイアス値Ｔｂｉａｓから調整値ΔＴｂを減算し、これを新たなバイアス値Ｔｂｉａｓとして設定する（Ｓ１０７）。このバイアス値は、コントローラ１１２からトラッキングサーボ回路１０９ａに出力され、これにより、トラッキングサーボ回路１０９ａのオフセット量が変更される。そして、次のモノトーン区間におけるウォブル信号をもとに、オフセット検出回路１１１にてＶ値データが取得され、これが、当該区間のＶ値データＶｂとして設定される（Ｓ１０８）。設定されたＶ値データＶｂは、Ｓ１１０にて設定されたＶ値データＶａと比較され（Ｓ１０９）、Ｖａ＞Ｖｂであれば（Ｓ１０９：Ｙ）、Ｖ値データＶｂがＶ値データＶａとして設定され（Ｓ１１０）、Ｓ１０７に戻る。
【００５６】
その後、Ｓ１０７以降の処理は、Ｖａ＞Ｖｂでなくなるまで繰り返される。すなわち、Ｖａ＞Ｖｂでなくなるまで、トラッキングサーボ回路１０９ａのバイアス値が調整値ΔＴｂずつ減算され、オフセット量が変更される。これにより、クロストーク量が次第に減少して行く。そして、クロストーク量が最小となったのち、再び増加方向に転じると、Ｓ１０９にて、Ｖａ＞Ｖｂでなくなったと判定され、再び、Ｓ１０６からＳ１０２以降の処理が行われる。
【００５７】
このように、図７に示すオフセット調整の処理フローでは、Ｓ１０３〜Ｓ１０６における処理ステップと、Ｓ１０７〜Ｓ１１０における処理ステップが適宜交互に実行されることにより、トラッキングサーボ回路１０９ａのオフセット値が、クロストーク量を最小とするよう調整される。
【００５８】
以上、本実施の形態によれば、図５に示すような簡素な構成にてクロストーク量を適正に検出することができ、また、その検出結果を用いながら、図７に示す如き単純な演算処理および比較処理にてオフセット調整を円滑に行うことができる。
【実施例２】
【００５９】
本実施の形態は、上記実施の形態に比べ、オフセット検出回路１１１の構成を変更したものである。すなわち、本実施の形態では、同期検波の手法を用いながらオフセット検出回路１１１を構成したものである。
【００６０】
図８に、本実施の形態に係るオフセット検出回路１１１の構成を示す。この構成においては、ウォブル信号をもとにＰＬＬ１１１ｅにてウォブル信号と同位相のキャリア信号が生成され、これが乗算回路１１１ｆにてウォブル信号に乗算される。乗算後の信号は、ＬＰＦ（Low Pass Filter）にて平滑化され２値レベルの信号とされる。そして、トップホールド回路１１１ｈとボトムホールド回路１１１ｉにて各レベル値がホールドされた後、各ホールド値がＡ／Ｄ変換回路１１１ｊ、１１１ｋにてデジタルデータ化され、さらに、各レベル値の差分値データが差分算出回路１１１Ｌにて取得される。かかる差分値データが、Ｖ値データとしてコントローラ１１２に出力される。
【００６１】
図９を参照して、Ｖ値データの取得動作について説明を補足する。なお、同図には便宜上、隣接トラックの位相変調区間からのクロストーク信号をもとに、Ｖ値データを取得するまでの信号の状態を示してある。
【００６２】
同図に示すクロストーク信号とこれと同位相のキャリア信号が乗算回路１１１ｆにて乗算されると、同図に示す乗算信号が生成される。これを、ＬＰＦ１１１ｅにて平滑化すると、同図最下段に示す２値レベルの信号が取得される。ここで、これら２値のレベル信号のレベル差をＶ値として設定すると、このＶ値の大きさは、クロストーク信号の振幅値に応じたものとなる。つまり、このＶ値は、クロストーク量に応じた大きさを持つものとなる。
【００６３】
ところで、図８に示す構成例では、オフセット検出回路１１１に対し、クロストーク信号ではなくウォブル信号が入力されているが、このウォブル信号は、ウォブル波形に応じた単調な波形信号にクロストーク信号が重畳されたものであることから、このウォブル信号をオフセット検出回路１１１に入力した場合には、かかる単調な波形信号に応じた積分値（直流分）だけＬＰＦ出力が持ち上げられることとなり、２値レベル間のレベル差は、クロストーク信号を入力した場合と変わらない。したがって、ウォブル信号を入力した場合にも、差分算出回路１１１Ｌからは、クロストーク信号を入力した場合と同じレベル差が出力されることとなり、このレベル差（Ｖ値）は上記の場合と同様、クロストーク量に応じた大きさを持つものとなる。
【００６４】
かかるＶ値データを用いて、上記図７に示す処理フローにてオフセット調整を行うと、Ｖ値データの値が最小となるようオフセット調整が行われる。これにより、トラッキングサーボ回路１０９ａのオフセット値が、クロストーク量を最小とするように調整される。
【実施例３】
【００６５】
上記２つの実施形態は、トラッキングサーボ回路１０９ａのオフセットを調整するものであったが、本実施の形態は、トラッキングサーボ回路１０９ａのオフセット調整に加え、フォーカスサーボ回路１０９ｂのオフセット調整を行うものである。
【００６６】
図１０に、かかる場合の構成例を示す。図示の如く、本構成例では、コントローラ１１２からフォーカスサーボ回路１０９ｂにオフセット値が設定される。フォーカスサーボ回路１０９ｂは、入力されたオフセット値をサーボ信号、たとえば、フォーカスエラー信号に加算する。これにより、フォーカスサーボに対するオフセット調整がなされる。なお、クロストーク量の検出およびＶ値データの生成・出力は、上記２つの実施の形態と同様にして、ウォブル信号をもとに行われる。
【００６７】
図１１に、フォーカスサーボ回路１０９ｂに対するオフセット調整の処理フローを示す。本処理フローは、上記図７の処理フローを、フォーカスサーボ用に一部変更したものである。すなわち、本処理フローでは、Ｓ２０１、Ｓ２０３、Ｓ２０７が、フォーカスサーボ用のバイアス値Ｆｂｉａｓと調整値ΔＦｂに変更されている。その他の処理ステップは、上記図７の処理フローの場合と同様である。
【００６８】
本処理フローにおいても、上記図７の場合と同様、Ｓ２０１とＳ２０２にて、初期のバイアス値Ｆｂｉａｓ（＝０）とＶ値データＶａが設定された後、Ｓ２０３〜Ｓ２０６における処理ステップと、Ｓ２０７〜Ｓ２１０における処理ステップが適宜交互に繰り返し実行される。これにより、フォーカスサーボ回路１０９ｂのオフセット値が、クロストーク量を最小とするよう調整される。
【００６９】
なお、本実施の形態のようにトラッキングサーボ回路１０９ａに対するオフセット調整と、フォーカスサーボ回路１０９ｂに対するオフセット調整を平行して行う場合には、たとえば、光ピックアップを初期位置または目標位置にシークさせ、フォーカスサーボをＯＮ、トラッキングサーボをＯＮした後に、まず、フォーカスサーボ回路１０９ｂに対するオフセット調整を行い、その後、トラッキングサーボ回路１０９ａに対するオフセット調整を行うようにする。なお、オフセット調整の順序はこれと逆であっても良い。
【００７０】
また、トラック（グルーブ）追従時には、トラッキングサーボ回路１０９ａに対するオフセット調整のみを継続し、フォーカスサーボ回路１０９ｂに対するオフセット値は、上記シーク直後に設定したオフセット値をそのまま維持するようにする。あるいは、トラック（グルーブ）追従時の所定のタイミングにて、トラッキングサーボ回路１０９ａに対するオフセット値をそのまま維持しながら、フォーカスサーボ回路１０９ｂに対するオフセット調整を割り込ませるようにしても良い。
【００７１】
この他、トラック追従時に、トラッキングサーボ回路１０９ａに対するオフセット調整とフォーカスサーボ回路１０９ｂに対するオフセット調整を所定のタイミングにて随時行うようにしても良い。あるいは、トラッキング追従時には両者のオフセット調整を共に行わず、シーク直後においてのみオフセット調整を行うようにしても良い。
【００７２】
以上、本発明に係る実施の形態について説明したが、本発明は上記実施の形態に限定されるものではなく、他に種々の変更が可能であることは言うまでもない。
【００７３】
たとえば、上記実施の形態では、ＨＤＤＶＤ−Ｒに対応した光ディスク装置に本発明を適用した例を示したが、ＨＤＤＶＤ−ＲＷ（Re-Writable）やＨＤＤＶＤ−ＲＡＭ（Random Access Memory）、あるいは、その他の光ディスクに対応した光ディスク装置にも本発明は適用可能である。
【００７４】
本発明の実施の形態は、特許請求の範囲に示された技術的思想の範囲内において、適宜、種々の変更が可能である。
【図面の簡単な説明】
【００７５】
【図１】実施例１に係る光ディスクの構成を示す図
【図２】実施例１に係る光ディスクのトラックの構成を示す図
【図３】実施例１に係る光ディスク装置の構成を示す図
【図４】実施例１に係る光ディスク装置の要部構成を示す図
【図５】実施例１に係るオフセット検出回路の構成を示す図
【図６】実施例１に係るクロストーク量の検出手法を説明する図
【図７】実施例１に係るオフセット調整処理を示すフローチャート
【図８】実施例２に係るオフセット検出回路の構成を示す図
【図９】実施例２に係るクロストーク量の検出手法を説明する図
【図１０】実施例３に係る光ディスク装置の要部構成を示す図
【図１１】実施例３に係るオフセット調整処理を示すフローチャート
【符号の説明】
【００７６】
１０６    信号生成回路
１０６ａ  減算回路
１０６ｂ  ＢＰＦ
１０６ｃ  ＬＰＦ
１０９    サーボ回路
１０９ａ  トラッキングサーボ回路
１１１    オフセット検出回路
１１１ａ  ＬＰＦ
１１１ｂ  ノッチ回路
１１１ｃ  ボトムホールド回路
１１１ｄ  Ａ／Ｄ変換回路
１１１ｅ  ＰＬＬ
１１１ｆ  乗算回路
１１１ｇ  ＬＰＦ
１１１ｈ  トップホールド回路
１１１ｉ  ボトムホールド回路
１１１ｊ  Ａ／Ｄ変換回路
１１１ｋ  Ａ／Ｄ変換回路
１１１Ｌ  差分算出回路
１１２    コントローラ
【図１】
2006024295.tif 000003
【図２】
2006024295.tif 000004
【図３】
2006024295.tif 000005
【図４】
2006024295.tif 000006
【図５】
2006024295.tif 000007
【図６】
2006024295.tif 000008
【図７】
2006024295.tif 000009
【図８】
2006024295.tif 000010
【図９】
2006024295.tif 000011
【図１０】
2006024295.tif 000012
【図１１】
2006024295.tif 000013